(57)【特許請求の範囲】
【請求項１】
キャビネット（１０）と、該キャビネットの頂部側に設けられた開口（１６）と、該開口（１６）内に設けられた蓋（１４）と、該開口内に配置され、下向きに開く上部ボウル（１８）と、該上部ボウル（１８）の下方に配置され、燃焼空間（３４）を有し、蓋（３８）が配置された上向きの開口（３６）が設けられた燃焼室（３２）と、前記燃焼空間（３４）内に配置された加熱コイル（４４）と、前記燃焼空間（３４）に接続された排ガス排出装置（４８，５０，５２）とを有する電気式トイレットにおいて、
前記燃焼空間（３４）はほぼ球形に形成され、前記加熱コイル（４４）は前記燃焼空間の上部に、前記開口（３６）の周縁よりも径方向外側に配置されており、これによって、使用中に、該開口を通って降下する排出物が前記加熱コイルと接触するのが防止されることを特徴とする、電気式トイレット。
【請求項２】
前記加熱コイルは、前記のほぼ球形ゾーンの形状を持つエリア内に、前記燃焼空間の上部に沿って配置されている、請求項１に記載の電気式トイレット。
【請求項３】
前記燃焼空間（３４）の底部には上向きのターニング装置（４６）が配置されている、請求項１に記載の電気式トイレット。
【請求項４】
前記排ガス排出装置（４８，５０，５２）には、煙道ガスを浄化する触媒（５０）が配置されている、請求項１に記載の電気式トイレット。
【請求項５】
前記燃焼室（３２）の前記開口（３６）の周りにトラフ（４２）が配置されている、請求項１に記載の電気式トイレット。
【請求項６】
前記上部ボウル（１８）は、直線に沿って交わり内向きに傾斜する前壁（２０）および後壁（２２）と、両側壁（２４）とによって形成され、該上部ボウル（１８）は、前記直線が前記開口（３６）の前縁内にあり、かつ、前記上部ボウル（１８）の前記後壁（２２）が開放可能にヒンジ取り付けされるように、前記燃焼室の前記開口（３６）に対して配置されている、請求項１に記載の電気式トイレット。
【請求項７】
前記排ガス排出装置には吸引ファン（５２）が配置され、該吸引ファンは直流低電圧により駆動される、請求項１に記載の電気式トイレット。
【請求項８】
前記吸引ファンは前記電気式トイレットの内部から空気を取り入れ、ファンロータ（５３）が煙道ガスの経路内には配置されていない、請求項７に記載の電気式トイレット。
【請求項９】
前記加熱コイル（４４）は降下する排出物と接触しないように配置されている、請求項１に記載の電気式トイレット。
【請求項１０】
前記上部ボウルおよび前記燃焼室の前記蓋は、前記保護蓋（１４）が閉じている時しか開かれることができない、請求項１に記載の電気式トイレット。
【請求項１１】
前記上部ボウルおよび前記燃焼室の前記蓋の開閉は電動機により行われる、請求項１０に記載の電気式トイレット。
【請求項１２】
前記燃焼室（３２）は上部と下部（３２ｂ，３２ａ）とから構成され、該下部（３２ａ）にはその下側に複数の足すなわちビーズ（５８）が配置され、前記キャビネットの底部内側には、前記下部（３２ａ）が前記上部（３２ｂ）に装着される時に前記燃焼室（３２）を該ビーズ（５８）を介して支持する、複数の溝（６２）と複数のランプ（６４）とが設けられたベースプレート（６０）が配置され、前記下部が取り外される時には、該下部は回され、前記ビーズは前記ランプに沿って前記溝内へと滑り下り、該下部を引き出すことができる、請求項１に記載の電気式トイレット。
【発明の詳細な説明】
技術分野
本発明はキャビネットすなわちハウジング、キャビネットの頂部側の開口、開口にあてがわれた蓋、下方へ開放可能な開口内部に配置されたボウル、蓋が配置された上向き開口を有する上部ボウルの下側に配置された燃焼室、燃焼室内に配置された加熱コイルおよび燃焼室に接続された排出装置を含む電気式トイレットに関する。
発明の背景
最も一般的な形式のトイレットは疑いも無く水洗トイレットである。自明の理由から、それらは休日用小別荘やボート等のある適用分野およびある場所では使用できない。例えば、アースクローゼット、フリーザトイレットおよび電気式トイレット等の他種のトイレットがそのために開発されてきている。近年、この種のトイレットはまた、環境の面からはやってきている。処理プラントの容量および地下水資源の理由で汚水系統までの水洗トイレットの接続が許可されない場所および郊外区域が沢山ある。代替トイレットの中で、電気式トイレットは絶対的に排出物が最も少ない。
電気式トイレットは保護蓋の下に容器が配置され、その中に耐液紙袋が置かれるように機能する。その中へ排便して“フラッシュする”、つまり、ペダルを踏んで装置を始動させると、容器が開いて排出物は容器の下に配置された燃焼室内へ落下する。ペダルを放すと、容器および燃焼室蓋が閉じる。次に、燃焼室内で加熱コイルが始動されて排出物が燃焼される。ファンが配置された燃焼室から排出設備が燃焼ガスを吸出して換気管へ送る。燃焼の後で、燃焼室の底には僅かな灰しか残らない。
市販されている電気式トイレットにはいくつかの欠点がある。燃焼室が垂直シリンダとして設計され、かつ、電気コイルがシリンダの頂部縁内に蓋の近くまで配置されるという事実により、コイルは燃焼室の下部内に均一な熱放射を与えず、特に底部と側部間の縁周りには不十分な熱による“ポケット”が生じる。他の欠点は袋の頂部が蓋と燃焼室の縁との間に引っ掛かる傾向があって、この場合、袋は落下した時に潰れずに直立してしまうことである。それは“フラッシング”中に足がペダルからスリップする場合にもいえることである。次に燃焼が開始されると、燃焼室が閉じられず蓋と開口との間に炎が現れることがある。
もう１つの重大な欠点は排出装置の設計である。燃焼進行中に電気式トイレットの電源が断たれると、吸込ファンの電力も断たれる。それは熱い糞便からの煙道ガスがもはや吸出されずにトイレットが配置された空間内で終わってしまい、強烈な悪臭が生じることを意味する。さらに、ファンの上にはいやな匂いのするコーティングが、特にファンが煙道ガスの経路内に配置されている時に生じる。
安全上の観点から、市販の電気式トイレットは保護蓋が持ち上げられている時にフラッシングができるため、最適なものではない。例えば、子供達は保護蓋を開いたままでペダルを踏んでしまおうと考えることがあり、その場合容器および燃焼室が開かれて重大なやけどの危険性が生じる。さらに、これらの電気式トイレットには燃焼室の上部および下部を吊るすためのスプリングシステムが配置されており、このスプリングは熱により時間とともに弾性を失って破断してしまうことさえあり、それにより一方では燃焼室の部品間に間隙が生じ、また他方ではトイレットが使用不能となることを意味する。
さらにもう１つの欠点は、市販の電気式トイレットには使用者が使用方法を知らないで容器の中に袋を置かずに排尿してしまう場合の濡れ保護が何もないことである。尿は容器内を流下してトイレットの内部へ入り、重大な洗浄問題を生じる。
もう１つの欠点は灰箱、すなわち燃焼室下部、のロッキングにはそれを燃焼室の上部へ向けて引き上げるスプリングが含まれることである。それらは主として燃焼熱により比較的短時間後に弾性を失い、灰箱と上部との間に間隙が生じて強烈な悪臭を生じる。
発明の説明
本発明に従った装置の目的は従来の電気式トイレットの上述した込み入った問題および欠点を取り除くことである。それは本発明の１つの特徴に従って、燃焼室の燃焼空間が主として球形とされ加熱コイルが燃焼空間の上部の周辺周りに配置されていることを特徴とする電気式トイレットにより達成される。
本発明の１つの特徴に従って、燃焼空間の底部には上向きのターニング装置が配置されている。
本発明のもう１つの特徴に従って、排出装置にはファンが配置されファンは直流低電圧により駆動される。
本発明に従った電気式トイレットには従来の電気式トイレットに較べていくつかの利点がある。燃焼空間が主として球形とされ加熱コイルは燃焼空間の上部に配置されるという事実により、燃焼空間の底部へ向かう下向きの熱放射が得られ、ひんやりした“ポケット”のない均一な熱分布が得られる。加熱コイルは好ましくは開口エリアの外側に配置され、そのため排出物はフラッシング中に加熱コイル上へ落下することが防止される。
燃焼空間の底部のターニング装置により降下する袋は空にされて排出物が燃焼室内に散布されることが保証され、したがって燃焼時間が短縮される。
トイレットの開閉はモータにより行われるという事実により、ペダル操作で発生することがある燃焼空間の不十分な閉鎖の危険性がない。
本発明のこれらの特徴およびその他の特徴や長所は好ましい実施例の詳細な説明とその次の請求の範囲から明らかである。
【図面の簡単な説明】
好ましい実施例の下記の説明において、添付図を参照し、ここに、
第１図は本発明に従った電気式トイレットの実施例の側方から見た断面図を示し、
第２図は第１図に従った装置の一部を形成する上部ボウルの側方から見た断面図を示し、
第３図は９０°回転させた第２図に従った上部ボウルを示し、
第４図は上から見た第１図の装置の一部を形成する底板を示す。
好ましい実施例の説明
図示する装置は適切に耐熱性で断熱材料のキャビネットすなわちハウジング１０を含んでいる。キャビネットは快適に腰掛けられる高さである。キャビネットの頂部側１２の前縁には蓋１４が後縁を関節接合して配置されている。蓋１４の下には開口１６が配置され、その縁は緩やかに丸められている。開口の下には、以後上部ボウルと呼ぶボウル１８が開口の内側でその縁に固着されている。上部ボウル１８には、直線に沿って交わる、内方向に傾斜する前壁および後壁２０，２２および内方向に傾斜する側壁２４が形成されており、上部ボウルはコーヒーフィルタ漏斗のような外観を有するようにされている（第２図および第３図）。後壁２２にはその幾分上部分でブラケット２８周りに回転可能にヒンジ取り付けされる部分２６が配置されている。ヒンジ部にも上部ボウルの側壁と同じ傾斜で側壁３０が配置されている。
上部ボウル１８の下には燃焼室３２が配置されている。燃焼室３２の燃焼空間３４は主として球形とされ頂部へ向かう主として円形の開口３６を有している。燃焼室３２は上部ボウル１８に対して、上部ボウルの前壁２０の下端が開口３６の前縁のそばでその上に配置されるように配置されている。燃焼室の開口にはシーリングリングにより燃焼室の燃焼空間を閉じる蓋３８が設けられている。ヒンジ装置４０が上部ボウル１８のヒンジ部２６および燃焼室の蓋３８の両方に固着されており、好ましくは電動機（図示せず）により始動される。
燃焼室３２の開口３６周りには側縁のあるトラフ形状の濡れガード４２が配置されている。燃焼空間の上部には、球形ゾーン状エリアの内側で燃焼空間の周辺周りに加熱コイル４４が渦巻き状に配置されている。この設計により、熱放射は燃焼空間の中心へ下向きに向けられる。燃焼空間３４には頂部に上向きに丸められたディスクを有するスパイク状のターニング装置４６が燃焼室の底部中心に配置されている。排出管４８が燃焼室に配分されている。管内には燃焼空間３４の最も近くに触媒５０が固着されている。管４８は吸引ファン５２およびキャビネット背面の出口５４へ続いている。出口は適切な換気管（図示せず）に接続されている。燃焼室３２は下部３２ａおよび上部３２ｂにそれぞれに分割されている。下部３２ａの下側には一方ではその前面にハンドル５６が設けられ、他方では足すなわちビーズ５８、実施例では３個、が設けられている。キャビネット底部の内側には、ある厚さのベースプレート６０が配置されている。ベースプレート内には３本の溝６２、第４図、および溝からベースプレートの頂部側までのランプ６４が配置されている。キャビネットの前面には、その低部に扉６６が配置されている。
本装置は次のように作用する。トイレットを使用する時に、保護蓋１４が持ち上げられる。上部ボウル１８と同じ形の耐液紙袋がその中に入れられる。排便すると保護蓋１４が閉じる。それにより電動機が始動されて、上部ボウル内の後部分２６および燃焼室３２の蓋３８はそれぞれ開いて邪魔にならないように旋回される。次に、袋は燃焼空間３２内へ落下してその底部のターニング装置４６に達し、そこで袋は裏返しとなって排出物が燃焼室内へ散布される。後部分２６および燃焼室３２の蓋３８は閉じられ、その時加熱コイル４４が始動される。排出のためのファン５２が始動される。加熱コイル４４からの熱の影響下で、糞便が燃焼され、蒸発および／もしくは気化され煙道ガスが触媒５０を介して運ばれ、そこで不快な臭気が浄化される。次に、煙道ガスはファン５２内へ運ばれる。これはキャビネットの内側から給気を取り入れて内部の空気の循環を保証する。ファンハウジング内の吸気口と煙道ガス入口との間に配置されたファンロータ５３が煙道ガスを換気管内へ吹き入れる。この設計により、煙道ガスはファンロータを通過したりそれをコーティングしたりすることがない。燃焼室とその加熱コイル４４の設計のおかげで、糞便へ向かう下向きの熱放射が得られまた熱放射が不十分な“ポケット”が生じることがない。
トイレットの灰を空にする時は、キャビネットの前縁の扉６６が開かれる。次に、ハンドル５６を握って燃焼室の下部３２ａ全体を回すと、足５８がベースプレート６０上をすべり、ランプ６４に沿って溝６２へすべり込む。次に、下部を正面外に引いて空にすることができる。この設計により、燃焼室の２つの半部をスプリングおよび類似の装置を使用せずに分割し結合するための単純かつ機能的な解決策が得られる。
ファンは好ましくは１２Ｖモータにより駆動され、本装置にはバックアップバッテリ（図示せず）が備えられている。それは燃焼室内で完全に燃焼が完了しないうちに電力が消失するケースに備えたものである。それによりファンの作用を継続させて熱い排出物からの悪臭を、少なくともそれが冷却するまで、放出させることが保証される。
ユーザが上部ボウル内に紙容器を入れずに装置内へ排尿する場合に備えて濡れガード４２が配置される。尿は上部ボウル１８から濡れガード４２へ流下し、保護蓋が閉じられている時は燃焼室の蓋３８が開いて尿はその中へ流下する。濡れガードの無い従来の電気式トイレットに較べると、従来のトイレットでその中のどこへでも流下して重大な洗浄問題を生じる尿よりは、濡れガードの残留尿を洗浄するほうが著しく容易である。
燃焼室には管入口を配置することもできる。それは管を介して装置付近に配置された尿器に接続される。尿器内へ排尿すると、液体は燃焼室内へ流下し悪臭を取り除くために尿器は少量の水を使用してすすがれ、この水も液体を燃焼／気化する燃焼室内へ流下する。この追加により、排尿時に上部ボウル内に紙容器を入れる必要がない。
本発明に従った電気式トイレットにより、従来の電気式トイレットよりも著しく機能的でそれらの欠点が取り除かれるトイレットが得られる。
本発明は上述しかつ図示した実施例に制約されるものではなく、以上の請求の範囲内で修正することができるということが理解されねばならない。
【図１】
0003715655.tif 000002
【図２】
0003715655.tif 000003
【図３】
0003715655.tif 000004
【図４】
0003715655.tif 000005